(57)【特許請求の範囲】
【請求項１】
情報通信端末とディジタル放送受信装置とを接続して両者間でデータ送受が行なえるように構成され、前記情報通信端末と通信を行う情報提供センターは当該情報通信端末の現在位置に関する情報を取得し、この取得した現在位置に関する情報に基づいて当該現在位置に対応したディジタル放送における地域サービス（特定の地域に向けたディジタル放送サービス）を受けるのに必要な視聴者居住地域設定情報（この視聴者居住地域設定情報は、県域コード、地域符号、郵便番号又はこれらに相当する情報である）を生成して当該情報通信端末に送信し、当該情報通信端末は前記情報提供センターから受け取った前記視聴者居住地域設定情報を前記データ送受によって前記ディジタル放送受信装置に供給し、前記ディジタル放送受信装置はメモリを備えており、当該メモリに前記情報通信端末から受け取った視聴者居住地域設定情報を記憶するように構成されたことを特徴とするディジタル放送受信装置システム。
【請求項２】
請求項１に記載のディジタル放送受信装置システムにおいて、前記受信装置はメモリに記憶した視聴者居住地域設定情報を更新するように構成されていることを特徴とするディジタル放送受信装置システム。
【請求項３】
情報通信端末と情報提供センターとの間で通信が行われて前記情報通信端末の現在位置に関する情報が前記情報センターにて取得され、当該情報センターは前記現在位置に関する情報に基づいて当該現在位置に対応したディジタル放送における地域サービス（特定の地域に向けたディジタル放送サービス）を受けるのに必要な視聴者居住地域設定情報（この視聴者居住地域設定情報は、県域コード、地域符号、郵便番号又はこれらに相当する情報である）を生成し、この視聴者居住地域設定情報を前記情報通信端末に送信するようにしたことを特徴とする視聴者居住地域設定情報提供システム。
【発明の詳細な説明】
【０００１】
【産業上の利用分野】
この発明は、ディジタル放送受信装置システム及び視聴者居住地域設定情報提供システムに関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、ディジタル放送システムでは、視聴者の居住地域（すなわち放送受信装置の設置場所）に応じたサービスを提供することが試みられている。このサービスを実現するためには、ユーザが放送受信装置に視聴者居住地域設定情報（県域コード、地域符号、郵便番号など）を設定する必要がある。視聴者居住地域設定情報のうち県域コードは、対象地域記述子に対応したコードであり、データ放送サービスにおいて視聴者の居住地域に応じた天気予報や選挙速報などのサービスを提供するのに用いられる。地域符号は、緊急情報信号に対応した地域符号であり、緊急警報放送（ＥＷＳ）において用いられる。地域符号についてはユーザーによる設定の他、前記県域コードに基づいて自動的に設定することも考えられる。また、郵便番号は、データ放送サービスにおいて視聴者の居住地域に応じた前述したようなサービスを提供するのに用いられる他、双方向サービスにおいて居住地域の最寄のアクセスポイントを特定するのにも使用される。
【０００４】
【発明が解決しようとする課題】
しかしながら、上記従来においては、ディジタル放送受信装置のメニュー画面などを用いてユーザが視聴者居住地域設定情報を設定しなければならず、不便である。特に、放送受信装置が携帯型や車載型として構成されて移動することになる場合には、ユーザは移動の度に視聴者居住地域設定情報を設定し直さなければならない。
【０００５】
この発明は、上記の事情に鑑み、ユーザ操作によらずに視聴者居住地域設定情報を自動的にディジタル放送受信装置に設定することができるディジタル放送受信装置システム及び視聴者居住地域設定情報提供システムを提供することを目的とする。
【０００６】
【課題を解決するための手段】
この発明のディジタル放送受信装置システムは、上記課題を解決するために、情報通信端末とディジタル放送受信装置とを接続して両者間でデータ送受が行なえるように構成され、前記情報通信端末は情報提供センターから当該情報通信端末の現在位置に対応した視聴者居住地域設定情報を受信して前記受信装置に供給し、受信装置は前記視聴者居住地域設定情報をメモリに記憶するように構成されたことを特徴とする。
【０００７】
また、この発明のディジタル放送受信装置システムは、情報通信端末とディジタル放送受信装置とを接続して両者間でデータ送受が行なえるように構成され、前記情報通信端末は情報提供センターから当該情報通信端末の現在位置情報を受信して前記受信装置に供給し、受信装置は前記現在位置情報を視聴者居住地域設定情報に変換してメモリに記憶するように構成されたことを特徴とする。
【０００８】
これらの構成であれば、情報通信端末を通じて視聴者居住地域設定情報又は当該情報を得るための現在位置情報を取得するようにしたので、ユーザ操作によらずに視聴者居住地域設定情報を自動的にディジタル放送受信装置に設定することができる。
【０００９】
前記受信装置はメモリに記憶した視聴者居住地域設定情報を更新するように構成されているのがよい。例えば、ユーザの転居により受信装置の設置地域が変わった場合や受信装置が携帯型や車載型として移動する場合でも、現時点で得られた視聴者居住地域設定情報がメモリに記憶した視聴者居住地域設定情報と異なることとなった場合には、現時点で得られた視聴者居住地域設定情報がメモリに更新記録されることになり、このような移動が生じた場合でも、ユーザ操作によらずに視聴者居住地域設定情報が自動的に設定される。
【００１０】
また、この発明の視聴者居住地域設定情報提供システムは、情報通信端末の現在位置に関する情報を取得し、前記現在位置に関する情報に基づいてディジタル放送における地域サービスを受けるのに必要な視聴者居住地域設定情報を生成し、この視聴者居住地域設定情報を前記情報通信端末に送信するようにしたことを特徴とする。
【００１１】
【発明の実施の形態】
以下、この発明の実施形態を図１及び図２に基づいて説明するが、ここでは地上波ディジタル放送を視聴できる車載型を例示している。図１はディジタル放送受信装置を示したブロック図であり、図２は視聴者居住地域情報設定処理を示したフローチャートである。
【００１２】
図１において、アンテナ１は、地上波放送局から送られてくるディジタル放送信号を受信する。チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１３】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報（番組名、番組開始時刻、番組継続時間等）等をＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１４】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１５】
映像処理回路５は、ＡＶデコーダ４から映像データを受け取ってＤ／Ａ変換を行って映像信号を生成し、これをディスプレイ１７に供給する。音声処理回路６は、ＡＶデコーダ４から出力された音声データを受け取ってＤ／Ａ変換を行い、例えば右（Ｒ）音のアナログ信号及び左（Ｌ）音のアナログ信号を生成し、これをスピーカ１６に供給する。
【００１６】
ＯＳＤ回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、ＣＰＵ１３が受け取った前述の番組情報に基づくＥＰＧ（Ｅｌｅｃｔｒｏｎｉｃ  Ｐｒｏｇｒａｍ  Ｇｕｉｄｅ）表示などが行えることになる。
【００１７】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００１８】
不揮発性メモリ（例えばＥＥＰＲＯＭ等）１４には、ＥＰＧ画面を表示するためのデータ（番組情報）、メニュー画面を表示するためのデータなどの他、視聴者居住地域設定情報なども格納される。
【００１９】
通信インターフェイス２１は、携帯電話やＰＨＳ（Ｐｅｒｓｏｎａｌ  Ｈａｎｄｙｐｈｏｎｅ  Ｓｙｓｔｅｍ）などの情報通信端末２２とＣＰＵ１３との間でデータの送受を制御する。通常、双方向サービスを受けたり課金情報をセンターに通知するためにモデムを備え、宅内の電話線を接続できるようにしてあるが、車載型であるこの実施形態の放送受信装置３０は、情報通信端末２２を用いて上記双方向サービスの提供等を受けることができる。また、情報通信端末２２は視聴者居住地域設定情報サービスを受けることができ、このサービスで受け取った視聴者居住地域設定情報をＣＰＵ１３に供給する。
【００２０】
ここで、視聴者居住地域設定情報サービスの例を以下に示す。情報通信端末２２における通信を管理するセンターでは、複数の基地局と情報通信端末２２との位置関係による各基地局で把握される電界強度及び基地局ＩＤに基づき、情報通信端末２２の位置（緯経度）を知ることができる。前記センター自ら、或いは当該センターから位置情報の提供を受けた例えばネット上のコンテンツ提供サイトは前記位置情報を視聴者居住地域設定情報に変換する。そして、この変換によって得られた視聴者居住地域設定情報を情報通信端末２２に送信する。また、情報通信端末２２がＧＰＳ（Ｇｌｏｂａｌ  Ｐｏｓｉｔｉｏｎｉｎｇ  Ｓｙｓｔｅｍ）機能を備え、このＧＰＳ機能で取得した現在位置情報（衛星データ）を前記センターやネット上のコンテンツ提供サイトに供給し、前記センター等から視聴者居住地域設定情報の提供を受けるようにしてもよい。
【００２１】
上述した例では、前記センター或いはコンテンツ提供サイトから情報通信端末２２に提供された視聴者居住地域設定情報を放送受信装置３０に供給するようにしたが、放送受信装置３０が位置情報（緯経度）を視聴者居住地域設定情報に変換するための変換テーブルを備え、前記センター等は位置情報を情報通信端末２２に提供し、この位置情報を情報通信端末２２が放送受信装置３０に供給する形態としてもよい。また、放送受信装置３０は不揮発性メモリ１４に記憶した視聴者居住地域設定情報と現時点で得られた視聴者居住地域設定情報とを比較し、異なる場合には現時点で得られた視聴者居住地域設定情報を不揮発性メモリ１４に更新記録するのがよい。図２は、かかる形態における居住地域情報設定処理を示したフローチャートである。情報通信端末２２は現在位置情報を取得し、通信インターフェイス２２を介して現在位置情報をＣＰＵ１３に供給する（ステップＳ１）。ＣＰＵ１３は変換テーブルを用いて現在位置情報を視聴者居住地域設定情報に変換する（ステップＳ２）。次に、この現時点の視聴者居住地域設定情報と不揮発性メモリ１４に記憶されている視聴者居住地域設定情報とを比較して変化が生じているかどうかを判断する（ステップＳ３）。変化が生じている場合には、現時点の視聴者居住地域設定情報を不揮発性メモリ１４に更新記録する（ステップＳ４）。
【００２２】
勿論、先に説明した構成、すなわち情報通信端末２２が視聴者居住地域設定情報を受信して放送受信装置３０に供給する構成においても、上述のごとく、不揮発性メモリ１４に記憶した視聴者居住地域設定情報と現時点で得られた視聴者居住地域設定情報とを比較し、異なる場合には現時点で得られた視聴者居住地域設定情報を不揮発性メモリ１４に更新記録するのがよい。
【００２３】
【発明の効果】
以上説明したように、この発明のディジタル放送受信装置システムであれば、ユーザ操作によらずに情報通信端末を利用してディジタル放送受信装置に視聴者居住地域設定情報を自動的に設定できるという効果を奏する。
【図面の簡単な説明】
【図１】この発明の実施形態のディジタル放送受信装置を示したブロック図である。
【図２】図２は、居住地域情報設定処理を示したフローチャートである。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  不揮発性メモリ
２１  通信インターフェイス
２２  情報通信端末
【図１】
0004121281.tif 000002
【図２】
0004121281.tif 000003